(57)【要約】【課題】飲料容器を収容部に収容したまま、収容部の深さ調整を可能にする。【解決手段】可動受皿３が押し下げられると、例えば、可動ガイド１８が下降し底ガイド２４を滑って底ガイド２４の最下部に受け止められた後、上記可動受皿３を下に抑える力が可動受皿３から取り除かれると、可動受皿３が弾性体５で押し上げられて固定下ガイド９を滑って固定下ガイド９の最上部に受け止められ、可動受皿３が高い位置から低い位置へと変わり、その状態において、可動受皿３が押し下げられると、可動ガイド１８が下降し底ガイド２４を滑って底ガイド２４の最下部に受け止められた後、上記可動受皿３を下に抑える力が可動受皿３から取り除かれると、可動受皿３が弾性体５で押し上げられて固定上ガイド８を滑って固定上ガイド９の最上部に受け止められ、可動受皿３が低い位置から高い位置へと変わることによって、収容部の深さが調整される。【選択図】図１
2010215073.tif 000002
【特許請求の範囲】
【請求項１】
ホルダー容器と、ホルダー容器の内部に設けられた有底筒状の固定収容部と、固定収容部を囲むホルダー容器の周壁に設けられた固定上ガイドと、固定収容部を囲むホルダー容器の周壁に固定上ガイドに隣接して設けられた固定下ガイドと、固定収容部の底部に設けられた底ガイドと、固定収容部の内部に固定収容部の円周方向に回転可能に配置された可動受皿と、可動受皿の内部に設けられた有底筒状の可動収容部と、可動収容部を囲む可動受皿の周壁に設けられて固定上ガイド又は固定下ガイド又は底ガイドに接触する可動ガイドと、可動収容部の底部と固定収容部の底部との間に配置されて可動受皿を上方に付勢する弾性体とを備え、可動受皿が押し下げられるごとに、可動ガイドが固定上ガイドから底ガイドを経由して固定下ガイドに受け止められか又は固定下ガイドから底ガイドを経由して固定上ガイドに受け止められて、可動受皿が高い位置から低い位置へと又は低い位置から高い位置へと変わることによって、収容部の深さが調整可能なことを特徴とするカップホルダー。
【請求項２】
固定上ガイドが、上昇する可動ガイドを取り込む上引込路と、上引込路から可動ガイドを取り込んで上方に誘導して高い位置に止める上誘導路とから構成されたことを特徴とする請求項１記載のカップホルダー。
【請求項３】
上引込路が斜面により構成されたことを特徴とする請求項２記載のカップホルダー。
【請求項４】
上誘導路が可動受皿の周壁を内外に貫通するスリットにより構成されたことを特徴とする請求項２記載のカップホルダー。
【請求項５】
固定下ガイドが、上昇する可動ガイドを取り込で上方に誘導して低い位置に止める下引込路と、下引込路から可動ガイドを底ガイドの側に誘導する下誘導路とから構成されたことを特徴とする請求項１記載のカップホルダー。
【発明の詳細な説明】
【技術分野】
【０００１】
本発明は、飲料容器が収容部に収容した状態でも、収容部の深さが調整できるカップホルダーに関する。
【背景技術】
【０００２】
図５は、特許文献１で開示されたカップホルダー４４を示す。図５において、カップホルダー４４は、可動受皿４５が受皿側爪４６と収容部側爪４７とからなる調整機構４８によって上下方向に移動することによって収容部４９の深さを調整し得るようになっている。しかしながら、図外の缶、コップ、瓶、ペットボトルのような飲料容器が収容部４９に収容されると、可動受皿４５又は受皿側爪４６が操作不可能となる。よって、飲料容器が収容部４９に収容された状態では、収容部４９の深さが調整できないという欠点がある。そこで、飲料容器が収容部４９に収容された状態でも、可動受皿４５又は受皿側爪４６を操作可能に構成するには、調整機構４８の周りに広い操作空間が必要となり、カップホルダー４４が横に広くなるという欠点がある。
【０００３】
図６は特許文献２で開示されたカップホルダー５１を示す。図６において、カップホルダー５１は、可動受皿５２の脚５３を下に向けるか又は上に向けるというように、可動受皿５２の収容部５４への入れ方によって収容部５４の深さを調整し得るようになっている。しかしながら、図外の飲料容器を収容部５４に収容するよりも前の時点において、可動受皿５２を入れ変えることが必要である。よって、飲料容器が収容部５４に収容された状態では、収容部５４の深さが調整できないという欠点がある。
【先行技術文献】
【特許文献】
【０００４】
【特許文献１】特開２００３−４８４７２号公報
【特許文献２】特開２００３−４８４７３号公報
【発明の概要】
【発明が解決しようとする課題】
【０００５】
発明が解決しようとする問題点は、飲料容器が収容部に収容された状態では、収容部の深さが調整できないという点である。
【課題を解決するための手段】
【０００６】
本発明に係るカップホルダーは、可動受皿が押し下げられるごとに、可動受皿が高い位置から低い位置へと又は低い位置から高い位置へと変わることによって、収容部の深さが調整できることを最も主要な特徴とする。本発明に係るカップホルダーでは、収容部の深さが２段階だけでなく、３段階又は４段階又は５段階以上の高さに調整できるようにしてもよい。
【発明の効果】
【０００７】
本発明に係るカップホルダーは、可動受皿が押し下げられるごとに、可動受皿が高い位置から低い位置へと又は低い位置から高い位置へと変わることによって、収容部の深さが調整されるので、人が飲料容器の置かれていない可動受皿を押し下げてもよいが、人が収容部に収容された飲料容器を押し下げるごとに、収容部の深さが調整できるという利点がある。
【図面の簡単な説明】
【０００８】
【図１】Ａ図は実施の形態１のカップホルダーを示す縦断面図、Ｂ図及びＣ図は動作を説明する模式図。
【図２】Ａ図は実施の形態１のカップホルダーを示す分解図、Ｂ図は実施の形態１のホルダー容器の固定上ガイド及び固定下ガイド周りを示す斜視図、Ｃ図は実施の形態１の可動受皿の可動ガイド周りを示す斜視図、Ｄ図は実施の形態１の底板の底ガイド周りを示す斜視図、Ｅ図は他例としての底板の底ガイド周りを示す斜視図。
【図３】実施の形態２のカップホルダーがセンターコンソールの小物入れに用いられる態様を示す分解図。
【図４】実施の形態３の飲料容器がコンソールボックスに収容された態様を示す斜視図。
【図５】従来のカップホルダーを示す斜視図。
【図６】別の従来のカップホルダーを示す分解図。
【発明を実施するための形態】
【０００９】
本明細書における「前」、「後」、「左」、「右」、「上」、「下」の方向は、図１のＡ図の状態にカップホルダー１を置いて図１のＡ図の紙面の前側から見た場合に特定される方向である。
【００１０】
「実施の形態１」
先ず、図２を参照し、実施の形態１に係るカップホルダー１の構造について説明する。図２のＡ図において、カップホルダー１は、ホルダー容器２、可動受皿３、底板４、弾性体５を備える。ホルダー容器２は、上下方向に貫通する筒を構成する。ホルダー容器２の外面は平面視円形以外の平面視楕円形又は平面視角形であってもよいが、ホルダー容器２の内面は平面視円形の内部空間を囲み形成する。ホルダー容器２には、固定収容部６、裾部７、固定上ガイド８、固定下ガイド９が設けられる。
【００１１】
固定収容部６は、ホルダー容器２の内部空間によって構成される。裾部７は、ホルダー容器２の下部に位置し、ホルダー容器２よりも外径の大きな環状な壁を構成する。裾部７の内径は、ホルダー容器２の外径よりも大きい。固定上ガイド８及び固定下ガイド９は、固定収容部６を囲むホルダー容器２の周壁に設けられる。固定上ガイド８及び固定下ガイド９は、互いに交互に隣接し、ホルダー容器２の円周方向に交互に並んで放射状に配置される。ホルダー容器２の円周方向に並ぶ固定上ガイド８の間隔Ｌ１とホルダー容器２の円周方向に並ぶ固定下ガイド９の間隔Ｌ２は、互いに等間隔である（Ｌ１＝Ｌ２）。
【００１２】
図２のＢ図において、固定上ガイド８は、上誘導路１１と上引込路１２とから構成される。上誘導路１１の裾部７よりも上に位置する部分は、ホルダー容器２を内外に貫通した縦長なスリットを構成する。上引込路１２は、左から右に行くに従って徐々に上り勾配となる傾斜面として、裾部７の内面から裾部７の中心の側に突出したリブ１３の下部に設けられる。固定下ガイド９は、下引込路１４と下誘導斜面１５とから構成される。下引込路１４は、左から右上に行くに従って徐々に上り勾配となる傾斜面として、リブ１３の下部に設けられる。下誘導斜面１５は、下引込路１４の最上端から下方に延びる垂直面として、リブ１３の下部に設けられる。
【００１３】
図２のＡ図に戻り、可動受皿３は、底１６の塞がれた円筒状の容器を構成する。可動受皿３の外面は平面視円形を成すが、可動受皿３の内面は平面視円形以外の平面視楕円形又は平面視角形であってもよい。可動受皿３がホルダー容器２の内部に嵌め込まれた場合、可動受皿３の外面がホルダー容器２の内面に接触しつつホルダー容器２の円周方向に回転し得るように、可動受皿３の外径は構成されることによって、可動受皿３は円滑に回転する。
【００１４】
可動受皿３には、可動収容部１７、可動ガイド１８が設けられる。可動収容部１７は、可動受皿３の内部空間によって構成される。可動ガイド１８は、可動受皿３の下部に、固定上ガイド８の個数及び固定下ガイド９の個数と同じ個数設けられる。可動ガイド１８は、可動受皿３の円周方向に並んで配置され、可動受皿３の外面から放射状に突出する。可動受皿３の円周方向に並ぶ可動ガイド１８の間隔Ｌ３は、間隔Ｌ１；Ｌ２と同じ等間隔である（Ｌ１＝Ｌ２＝Ｌ３）。
【００１５】
図２のＣ図において、可動ガイド１８には、張出部１９、上斜面２１、下斜面２２が設けられる。張出部１９は、可動ガイド１８の上部から可動受皿３の円周方向の一方に曲がった形状である。上斜面２１は、左から右に行くに従って徐々に上り勾配となる斜面として、張出部１９の上部に設けられる。下斜面２２は、左から右に行くに従って徐々に下り勾配となる斜面として、可動ガイド１８の下部に設けられる。
【００１６】
再び、図２のＡ図に戻り、底板４は、ホルダー容器２に取り付けられることによって、固定収容部６の底部を構成し、ホルダー容器２における裾部７の下開口部を塞ぐ大きさの円盤を構成する。底板４には、底ガイド２４、弾性体収容部２５、隔壁２６、結合部２７が設けられる。底ガイド２４は、底板４の円周方向に並んで配置され、底板４の周縁部の上面から放射状に突出する。
【００１７】
図２のＤ図に示において、底ガイド２４には、底誘導路２８が設けられる。底誘導路２８は、左から右に行くに従って徐々に下り勾配となる斜面として、底ガイド２４の上部に配置される。底誘導路２８の最上端から左側には右から左に行くに従って徐々に下り勾配となる斜面２９が形成される。しかしながら、斜面２９は、可動受皿３を回転させるためのものではない。よって、斜面２９に代わり、図１のＥ図に示すような垂直面３０を底ガイド２４に設ければ、垂直面３０が上昇直後の可動ガイド１８をまっすぐ上に誘導できる。垂直面３０は、図１のＥ図に仮想線で示す斜面２９が円盤の上面に接触する最下端から上方に延びる態様である。
【００１８】
図２のＡ図に戻り、弾性体収容部２５は、底ガイド２４で囲まれ、底板４の中央部に設けられる。弾性体収容部２５の周囲には、弾性体収容部２５と底ガイド２４とを仕切る隔壁２６が底板４の上面から底ガイド２４よりも上に突出して設けられる。結合部２７は、底ガイド２４よりも外側に突出した底板４の部分として構成される。弾性体５は、弾性体収容部２５に収容可能な外径を有するコイルばねとして構成されているが、コイルばね以外のばね又はゴムや合成樹脂からなる弾性体であってよい。
【００１９】
図２のＡ図において、カップホルダー１の組立方について説明する。先ず、可動受皿３がホルダー容器２の下方からホルダー容器２の内部に嵌め込まれる。その場合、可動ガイド１８が固定上ガイド８又は固定下ガイド９に１個ずつ取り込まれる。次に、弾性体５の下端部が底板４の弾性体収容部２５に配置され、弾性体５の上端部が可動受皿３の下方から可動受皿３の底１６の下面に接触されつつ、底板４がホルダー容器２の下部に被せられ、結合部２７が裾部７の下端面に重ね合わされて結合される。
【００２０】
その場合、図１のＢ図に仮想線で示す可動ガイド１８が固定下ガイド９の下引込路１４の最下部に到達した場合に、可動ガイド１８の上斜面２１の最上部の位置が固定下ガイド９の下引込路１４の最下部よりも可動受皿３の回転方向（実施の形態1の場合は右方向）にずれるように、下引込路１４の最下部と上引込路１２の最下部との位置が可動受皿３の回転方向にずらされるように、また、図１のＣ図に仮想線で示す可動ガイド１８が底ガイド２４の底誘導路２８の最下部に到達した場合に、可動ガイド１８の上斜面２１の最上部の位置が固定上ガイド８の上引込路１２の最下部よりも可動受皿３の回転方向（実施の形態1の場合は右方向）にずれるように、底誘導路２８の最下部と上引込路１２の最上部との位置が可動受皿３の回転方向にずらされるように、ホルダー容器２と底板４とが互いに結合される。ホルダー容器２と底板４との結合には、例えば、接着剤又はビスのような螺子部材又はフックのような係合部材を使用すればよい。これによって、カップホルダー１が図１のＡ図に示す形状に組み立てられる。
【００２１】
図１のＡ図乃至Ｃ図を参照し、実施の形態１に係るカップホルダー１の深さ調整について説明する。先ず、図１のＡ図に示すように、可動受皿３が弾性体５の弾性で押し上げられ、可動ガイド１８が固定上ガイド８に取り込まれて固定上ガイド８の上端部に衝突して止まり、可動受皿３が高い位置に停止し、固定収容部６及び可動収容部１７から構成される収容部の深さ（可動受皿３の底１６とホルダー容器２の上面３１との間の寸法）が浅い状態である場合を例として説明する。ホルダー容器２が重くなるが、図１のＡ図に仮想線Ｌ１で示すように、ホルダー容器２の固定収容部６を囲む部分の厚さを厚く構成して、上誘導路１１がホルダー容器２の外側に貫通しないように塞がれた構造でもよい。
【００２２】
図１のＡ図の状態から可動受皿３が弾性体５の弾性に抗して押し下げられると、図１のＢ図において、実線で示す可動ガイド１８が矢印Ｘ１方向に下降し、点線で示す可動ガイド１８の下斜面２２が底ガイド２４の斜面としての底誘導路２８に衝突した後、仮想線で示す可動ガイド１８が矢印Ｘ２方向に滑って底誘導路２８の最下部に衝突して止まる。その過程において、下斜面２２の垂線と交差する角度と底誘導路２８の垂線と交差する角度とが等しく構成されたので、可動ガイド１８が円滑に滑る。それに伴って可動受皿３が矢印Ｘ３方向に回転しながら下降し、可動ガイド１８の上斜面２１の少なくとも最上部が固定下ガイド９の下引込路１４の少なくとも最下部の真下に配置されて下引込路１４と向き合うというように可動受皿３の位置が変わる。
【００２３】
その後、図１のＢ図において、上記可動受皿３を下に抑える荷重（可動受皿３を押し下げる力）が可動受皿３から取り除かれると、可動受皿３が図１のＡ図に示す弾性体５の弾性で押し上げられる。これに伴い、図１のＢ図において、仮想線で示す可動ガイド１８の上斜面２１が矢印Ｘ４方向に上昇して固定下ガイド９の斜面としての下引込路１４に衝突した後に滑る。その場合、下引込路１４の垂線と交差する角度と上斜面２１の垂線と交差する角度とが等しく構成されたので、可動ガイド１８が円滑に滑る。それに伴って可動受皿３が矢印Ｘ３方向に回転しながら上昇し、可動ガイド１８が図１のＣ図に実線で示すように固定下ガイド９の下引込路１４と下誘導斜面１５との交差部分としての上端部に衝突して止まり、可動受皿３が低い位置に停止し、図１のＡ図に示す固定収容部６と可動収容部１７とから構成される収容部が深い態様になる。
【００２４】
次に、図１のＣ図において、実線で示す可動受皿３が弾性体５（図１のＡ図参照）の弾性で固定下ガイド９の上端部に衝突して止まった状態において、可動受皿３が弾性体５の弾性に抗して押し下げられると、実線で示す可動ガイド１８が矢印Ｘ５方向に下降する。すると、点線で示す可動ガイド１８の下斜面２２が底ガイド２４の斜面としての底誘導路２８に衝突した後、仮想線で示す可動ガイド１８が矢印Ｘ６方向に滑って底誘導路２８の最下部に衝突して止まる。その過程において、可動受皿３が矢印Ｘ７方向に回転しながら下降し、可動ガイド１８の上斜面２１の少なくとも最上部が固定上ガイド８の上引込面の少なくとも最下部の真下に配置されて上引込面と向き合うというように可動受皿３の位置が変わる。
【００２５】
その後、図１のＣ図において、上記可動受皿３を下に抑える荷重が可動受皿３から取り除かれると、仮想線で示す可動受皿３が図１のＡ図に示す弾性体５の弾性で押し上げられる。これに伴い、図１のＣ図において、可動ガイド１８の上斜面２１が矢印Ｘ８方向に上昇して固定上ガイド８の斜面としての上引込路１２に衝突した後に滑る。その場合、上引込路１２の垂線と交差する角度と上斜面２１の垂線と交差する角度とが等しく構成されたので、可動ガイド１８が円滑に滑る。それに伴って可動受皿３が矢印Ｘ７方向に回転しながら上昇し、一点鎖線で示す可動ガイド１８が上引込路１２から上誘導路１１に取り込まれて固定上ガイド８の上端部に衝突して止まり、可動受皿３が高い位置に停止し、収容部が浅い態様になる。
【００２６】
上記深さ調整の説明では人が可動受皿３を押し下げる場合を例として説明したが、図１のＡ図において、人が仮想線で示す飲料容器３２を固定収容部６及び可動収容部１７から構成される収容部に収容した後に飲料容器３２を押し下げることによって当該収容部の深さを調整してもよい。
【００２７】
「実施の形態２」
図３を参照し、実施の形態２に係るカップホルダー１の使用例について説明する。図３では、カップホルダー１がセンターコンソール３４に設けられたリッドの無い小物入れ３５に収容されて使用される。カップホルダー１が小物入れ３５に収容された場合、底板４の下面が小物入れ３５の底の上面に接触されて置かれ、ホルダー容器２の上面３１が上方に向けられた態様になる。カップホルダー１が小物入れ３５に置かれた後、人が飲料容器３２をカップホルダー１の収容部に収容する。その後、人が飲料容器３２を押し下げることによって、収容部の深さを調整すればよい。
【００２８】
実施の形態２の場合、小物入れ３５としては、リッドを備えていない開放形を例示する。センターコンソール３４は、乗用車の前席の運転席と助手席との間に設けられる前後方向に長いトンネルを構成する中空状の構造物である。センターコンソール３４には、小物入れ３５の以外に、シフトレバー３６、サイドレバー３７、コンソールボックス３８、操作盤３９が設けられる。操作盤３９としては、エアコンや音響機器を操作する態様を例示した。
【００２９】
図４を参照し、実施の形態３に係るカップホルダー１の使用例について説明する。図４は、２個の飲料容器４０；４１がリッド４２の有るコンソールボックス３８に収容された態様を示す。図４では、リッド４２が全開されており、かつ、コンソールボックス３８に設置された２個のカップホルダー１のうちで飲料容器４０に対する収容部は浅く設定され、飲料容器４１に対する収容部は深く設定されており、背の低い飲料容器４０が一方の浅いカップホルダー１に収容され、背の高い飲料容器４１がもう一方の深いカップホルダー１に収容されている。
【００３０】
図１に示したカップホルダー１は、自動車のコンソールボックス３８以外の引出式や着脱式のカップ受けに装着して使用可能であり、また、自動車以外にも使用可能である。
【符号の説明】
【００３１】
１はカップホルダー、２はホルダー容器、３は可動受皿、４は底板、５は弾性体、６は固定収容部、７は裾部、８は固定上ガイド、９は固定下ガイド、１０は欠番、１１は上誘導路、１２は上引込斜面、１３はリブ、１４は下引込面、１５は下誘導面、１６は底、１７は可動収容部、１８は可動ガイド、１９は張出部、２１は上斜面、２２は下斜面、２３は欠番、２４は底ガイド、２５は弾性体収容部、２６は隔壁、２７は結合部、２８は底誘導面、２９は斜面、３０は垂直面、３１は上面、３２は飲料容器、３３は欠番、３４はセンターコンソール、３６はシフトレバー、３７はサイドレバー、３８はコンソールボックス、３９は操作盤、４０；４１飲料容器、４２はリッド、４３は欠番、４４はカップホルダー、４５は可動受皿、４６は受皿側爪、４７は収容部側爪、４８は調整機構、４９は収容部、５０は欠番、５１はカップホルダー、５２は可動受皿、５３は脚、５４は収容部、Ｌ１乃至Ｌ３は間隔。
【図１】
2010215073.tif 000003
【図２】
2010215073.tif 000004
【図３】
2010215073.tif 000005
【図４】
2010215073.tif 000006
【図５】
2010215073.tif 000007
【図６】
2010215073.tif 000008